(57)【要約】【課題】  サイズの異なる電子カードをスムーズに差し込むことが可能な電子カードコネクターを提供する。【解決手段】  本体１１を備え、本体１１の前端に電子カード差し穴１２が中に向かって形成され、電子カード差し穴１２は二種の違った電子カード４ｂを各別に差し込むことが可能であり、かつ、差し込んだ電子カード４ｂを対応的に電子カードの差し穴１２の底端に装置された端子１３ａと連接させることが可能であり、偽カード２０を備え、偽カード２０を電子カードの差し穴１２の中に差し置くことを可能にし、偽カード２０と電子カードの差し穴１２の間に構成された空間に、一種類の相対の形式の電子カード４ｂが差し込み可能であるように構成される。【選択図】    図１
0003111789.tif 000002
【実用新案登録請求の範囲】
【請求項１】
本体を備え、
該本体の前端に電子カード差し穴が中に向かって形成され、
該電子カード差し穴は二種の違った電子カードを各別に差し込むことが可能であり、かつ、差し込んだ電子カードを対応的に該電子カードの差し穴の底端に装置された端子と連接させることが可能であり、
偽カードを備え、
該偽カードを該電子カードの差し穴の中に差し置くことを可能にし、
該偽カードと電子カードの差し穴の間に構成された空間に、一種類の相対の形式の電子カードが差し込まれることが可能であるように構成されることを特徴とする偽カードがある電子カードコネクター。
【請求項２】
該偽カードは、カード体を備え、該カード体の第一端に引き部を枢接することを特徴とする請求項１に記載の偽カードがある電子カードコネクター。
【請求項３】
該偽カードは、その一側の側壁にレールガイド部が形成され、差し込む必要がある電子カードの一側の側壁の外部の形状と丁度よく合うことを特徴とする請求項１に記載の偽カードがある電子カードコネクター。
【請求項４】
該偽カードは、アース板を含み、
該アース板は安定して該偽カードのカード体に扣接していて、その一側に第一塔接部を形成し、その別の一端は第二塔接部を形成し、
該偽カードが電子カードの差し穴に差し込まれた後に、該第二塔接部は、該電子カードコネクターのアース回路と塔接し、
電子カードが電子カードの差し穴の中に差し込まれた時に該電子カードは、該アース板の第一塔接部と塔接とすることを特徴とする請求項１記載の偽カードがある電子カードコネクター。
【請求項５】
該アース板は、一体に弾性扣部品が設けられ、
該偽カードが電子カードの差し穴の中に差し込まれた時に、該弾性扣部品は、弾性的に該電子カードコネクターの扣孔の中に扣接することを特徴とする請求項４記載の偽カードがある電子カードコネクター。
【請求項６】
該偽カードのカード体は、一体に弾性扣部品が設けられていて、
該偽カードが電子カードの差し穴の中に差し込まれた時に、該弾性扣部品は、弾性的に該電子カードコネクターの扣孔の中に扣接することを特徴とする請求項２記載の偽カードがある電子カードコネクター。
【請求項７】
該偽カードの引き部は、一枚の突止板が突設され、
該引き部が偽カードのカード体の方向に向かって収合された時に、該突止板は、上に向かって弾性扣部品の弾性アームを突き上げ、かつ該弾性アームの下側に突止り、これによって弾性アームの末端にある扣鉤部を上升させて電子カードコネクターの扣孔の中に扣接することを特徴とする請求項２記載の偽カードがある電子カードコネクター。
【請求項８】
電子カードコネクターの本体は、アースバネ板が設置され、
該アースバネ板を電子カードの差し穴の中に伸設して、差し込んだ電子カードに塔接し、電子カードのアースを完成させることを特徴とする請求項１記載の偽カードがある電子カードコネクター。
【考案の詳細な説明】
【技術分野】
【０００１】
本考案は偽カードがある電子カードコネクターに関し、特に電子カードコネクターの電子カードの差し穴の中に一枚の偽カードが差し込まれていて、該偽カードと電子カードの差し穴の間に構成された空間に、丁度よく相対の形式の電子カードを差し込むことができるように構成された電子カードコネクターに関するものである。
【背景技術】
【０００２】
一般のノートブックコンピュータ、事務機、カード読み取り機、ディスプレイ等に応用されている電子ターミナル商品は、常時電子カ−ドを差し込むのに使用する電子カードコネクターを装置していて、電子資料の儲存、録音、読み取り、ネットワークの連接等の作業を行う。しかし目前の高速カード（Express Card）の中では二種類の違ったサイズの形式の電子カードがある。上記の違った規格の電子カードを皆同一の電子ターミナル商品に応用できるようにするために、目前ではすでに電子カードコネクターが開発されて使用されている。該電子カードコネクターに形成された電子カードの差し穴は、二種類の規格の電子カードの差し込みが可能であり、また個別に対応した端子と連接することができて、差し込んだ各種の電子カードを起動させる。
【０００３】
しかし、上記の周知の電子カードコネクターは、形成された電子カードの差し穴の両側の巾が、差し込むことができる最大寸法の電子カードの両側の巾よりも大きいか或いは同じなので、使用者が比較的小さいサイズの規格の電子カードを差し込む時、該電子カードの最少の一側は、任意の支え或いはガイドがないため、使用者が小さいサイズの規格の電子カードを電子カードコネクターの中に差し込む時には、往々にして施力の不当によって、電子カードを一側に向けて傾斜で電子カードコネクターの中に差し込む。このように、カードの差し込み操作を極めて順調に行うことができない外、容易かつ順調にターミナルに電子カードの中の資料を読み取ることができず、また、該電子カードを起動させることができないという欠点がある。
【考案の開示】
【考案が解決しようとする課題】
【０００４】
上記のような従来技術では、周知の電子カードは往々にして順調に比較的小さいサイズの規格の電子カードを電子カードコネクターの中に差し込むことができず、また同時に容易にターミナルがスムーズに電子カードの中の資料を読み取ることができず、さらに該差し込んだ電子カードを起動させることができない。
【課題を解決するための手段】
【０００５】
本考案は上記の点を解決するためになされたものであり、偽カードがある電子カードコネクターを提供し、該電子カードコネクターは以下ように構成される。該電子カードコネクターは、本体を備え、該本体の前端に中に向かう電子カードの差し穴が形成され、該電子カードの差し穴は二種類の形式の違った電子カードを個別に差し込むことができ、その差し込んだ電子カードは個別対応的に該電子カードの差し穴の底端に取り付けられた端子と連接することができる。その特徴は、該電子カードの差し穴の中には、偽カードが差し置かれていて、該偽カードと電子カードの差し穴の間に構成された空間がただ一種の相対の形式の電子カードを差し込むことが可能であるように形成された構成で、上記の課題を解決する。
【考案を実施するための最良の形態】
【０００６】
以下、図面に従って本考案を説明する。
図１〜７を参照ください。本考案の一実施例による偽カードがある電子カードコネクター１０は、次のように構成される。本体１１を備え、該本体１１の前端に中に向かって電子カードの差し穴１２が凹設されて形成され、該電子カード差し穴１２は二種類の違った形式の電子カード（４ａ或いは４ｂ）を個別に差し込むことができ、また差し込んだ電子カード（４ａ或いは４ｂ）は個別対応的に電子カードの差し穴１２の底端に装置した端子（１３ａ、１３ｂ）と連接できる。その特徴は、該電子カードの差し穴１２の中には一枚の偽カード２０が差し置かれていて、該偽カード２０と電子カードの差し穴１２の間に構成された空間は、ただ一種類の相対形式の電子カード４ｂが差し込め、これによって電子カード４ｂを電子カードコネクター１０に差し込むガイドの効果及び目的が達成される。
【０００７】
本実施例の示した電子カードのコネクター１０は、例えばノートブックコンピュータ、卓上形コンピュータ、ディスプレイ、及びその他の電子商品の中に取り付けることができる。また、独自に一つの外接式の商品になって、伝送機でターミナル商品に連接される。本実施例は該電子カードコネクターの形式及び種類を自限しない。
上記に示した電子カードコネクターは、高速カード（Express Card）に応用することができる。例えば図１の４ｂ或いは図７の４ａのように、本実施例は応用する電子カードの種類或いは形式を自限しない。
【０００８】
図３及び図４に示すように本実施例が示した偽カード２０は、下記のものを含む。カード本体２１は、該カード体２１の第一端に一つの枢接部２１１を備える。引き部２２は、その一端が該カード体２１の枢接部２１１に枢接し、これで引き部２２を外に向けて引き開いた後に、使用者に施力させて、外に向けて連動で該カード体２１を抜き出せる。
上記の偽カード２０は、その一側の側壁にレールガイド部２３が形成され、丁度よく差し込む必要がある電子カード４ｂの一側の側壁４１の外部の形状に合わせて、該偽カード２０が該電子カードの差し穴１２の中に差し込まれた後に、偽カード２０と該電子カードの差し穴１２の間に、丁度よく差し込む必要がある電子カード４ｂの断面形状に合う形状を構成して、該電子カード４ｂを該偽カード２０の側壁上のレールガイド部２３にそって、スムーズに電子カードコネクター１０の電子カード差し穴１２の中に滑り込ませる。
【０００９】
本実施例の偽カードがある電子カードコネクターは、該偽カード２０が、なお最少のアース板２４を含み、該アース板２４は安定して該偽カード２０のカード体２１上に扣接され、その一側に第一塔接部２４１が形成され、かつ該本体１１の一側に突出する。そしてその別の一端に第二塔接部２４２が形成され、該偽カード２０が電子カードの差し穴１２に差し込まれた後に、該第二塔接部２４２は、該電子カードコネクター１０のアース回路と塔接し、かつ電子カード４ｂが電子カードの差し穴１２の中に差し込まれた時に、該第一塔接部２４１は電子カード４ｂの外壁に塔接して、アース回路を完成する。また、該カード体２１の上、下の両相対側にそれぞれアース板２４を扣接し、電子カード４ｂが電子カードの差し穴１２の中に差し込まれた時に、該二つのアース板２４の第一塔接部２４１は、相対的に電子カードの上、下の相対の両側に包み挟まれる。
【００１０】
図２及び図４に示すように、本実施例の偽カード２０は、最少の弾性扣部品２５を含む。該偽カード２０を電子カードの差し穴１２の中に差し込んだ時に、該弾性扣部品２５は、弾性的に該電子カードコネクター１０の対応する扣孔１４の中に扣接して、該偽カード２０が外に向かって退出するのを阻碍する。
図２、図３、及び図４に示す本実施例の偽カード２０は、その中の該引き部２２に突止板２２１が突設されていて、該引き部２２が偽カード２０のカード体２１の方向に向かって収合された時には、該突止板２２１は、上に向かって該弾性扣部品２５の弾性アーム２５１を突き上げて、かつ該弾性アーム２５１の下側に突止め、これによって、弾性アーム２５１の末端にある扣鉤部２５２は上升して、電子カードコネクター１０の扣孔１４の中に扣接する。これで該偽カード２０を安定に電子カード差し穴１２の中に扣接させる。使用者が偽カード２０を取り出す時は、図６に示すように、ただ外に向けて該引き部２２を撥ね動かす。これで該突止板２２１は該弾性扣部品２５の弾性アーム２５１の下側から退出する。このとき、該弾性アーム２５１は自動的に弾性復帰ができ、その末端の扣鉤部２５２を下に向けて（カード体２１の方向に向けて）退移させて、電子カードコネクター１０の扣孔１４を開扣する。これによって、使用者は該引き部２２によって、偽カード２０全体を電子カードコネクター１０の電子カード差し穴１２の中から、外に向かって抜き出すことができる。
【００１１】
本実施例に示す偽カード２０の該弾性扣部品２５は、一体で該アース板２４に成形することができる。また一体で該カード体２１に成形することができることは、本実施例はこれを自限しない。
本実施例に示す偽カード２０は図３に示すようにすることができる。当然、多数の部品から組成される本実施例が示した偽カードも単一の部品から構成できる。例えば、プラスチック材料で一体成形され、本実施例はこれを自限しない。
本実施例の図７に示した電子カードコネクター１０の本体１１は、一歩進んでアースバネ板１５が設けられていて、該アースバネ１５は電子カード差し穴１２の中に伸設され、差し込んだ電子カード４ａに塔接して、電子カード４ａのアースを完成して、電子カードの信号伝送を更に安定させる。
【００１２】
本実施例の応用において、その差し込んだ電子カードの形式が高速カードの第二形式の電子カード４ｂである時は、該電子カード４ｂの両側の巾は、電子カードコネクター１０の電子カード差し穴１２の両側の巾よりも小さいために、使用者は図５に示すように、本実施例の偽カード２０を電子カード差し穴１２の一側に差し込んで、偽カード２０と電子カードの差し穴１２の間に、該電子カード４ｂの断面形状に丁度合う滑り穴を構成し、該電子カード４ｂをガイドしてスムーズにコネクターの電子カードの差し穴１２の中に滑り入れ、或いは退出させる。そして、使用者が選択して使用する電子カードの形式が高速カードの第一形式の電子カード４ａである時は、図７に示すように、該第一形式の電子カード４ａの両側は、丁度よく電子カードコネクター１０の電子カード差し穴１２の両側の中に貼寄って滑り移動するので、本実施例が示した偽カード２０を使用する必要がない。この時は、使用者は図６に示したように、外に向けて偽カード２０の上の引き部２２を撥ね動かして、該偽カード２０と電子コネクター１０を開扣して、外に向かって取り出した後に、図７に示すようになり、該第一形式の電子カード４ａを直接電子カードコネクター１０の電子カード差し穴１２の中に差し込む。
【００１３】
本実施例の偽カードがある電子カードコネクターの主なる構造の特徴は、偽カード２０を含んでいる。該偽カード２０は電子カードコネクターの電子カードの差し穴１２の中に差し置かれていて、偽カード２０と電子カード差し穴１２の間にただ一種の対応の電子カード４ｂを差し込むことができる空間を構成して、差し込んだ電子カード４ｂを、偽カードのガイドが受けることができて、正確な径路にもとづいて該電子カードの差し穴１２の中に差し込むあるいは退出させることで、使用者の使用をスムーズにする。なおかつ差し込んだ電子カード４ｂを、偽カード２０上のアース板２４の塔接を経てアースを完成させることができるので、その新規性及び実用性がある。
付き加えて強調することは、もしも本考案の構成を一部変更した後に生じた効果、作用が本考案の精神、本明細書と図面を含む範囲である場合はすべて本考案の範囲に属することは当然である。
【図面の簡単な説明】
【００１４】
【図１】本考案の一実施例の電子カードコネクターと偽カードの分解図である。
【図２】本考案の一実施例による偽カード及び電子カードを電子カードコネクターの中に差し込んだ示意図である。
【図３】本考案の一実施例の偽カードの立体分解図である。
【図４】図３の偽カードを組み立てした後の立体図である。
【図５】本考案の一実施例による偽カードがある電子カードコネクターを第二形式の電子カードの差し込みに応用した示意図である。
【図６】本考案の一実施例に係る外に向かって抜き出した偽カードの操作の示意図である。
【図７】本考案の一実施例による偽カードがある電子カードコネクターを第一形式の電子カードの差し込みに応用した示意図である。
【符号の説明】
【００１５】
１０  電子カードコネクター、１１  本体、１２  電子カード差し穴、１３ａ  端子、１３ｂ  端子、１４  扣孔、１５  アースバネ板、２０  偽カード、２１  カード体、２１１  枢接部、２２  引き部、２２１  突き止板、２３  レールガイド部、２４  アース板、２４１  第一塔接部、２４２  第二塔接部、２５  弾性扣部品、２５１  弾性アーム、２５２  扣鉤部、４ａ  電子カード、４ｂ  電子カード、４１  側壁、４２  被し殼体
【図１】
0003111789.tif 000003
【図２】
0003111789.tif 000004
【図３】
0003111789.tif 000005
【図４】
0003111789.tif 000006
【図５】
0003111789.tif 000007
【図６】
0003111789.tif 000008
【図７】
0003111789.tif 000009